【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
装着時に使用者の一方の側頭部に沿って配置される第１のテンプル部と、
装着時に前記使用者の他方の側頭部に沿って配置される第２のテンプル部と、
装着時に前記使用者の顔の前方に配置されるフロント部と、
を有し、
前記フロント部は、
少なくとも撮像装置を有する電装部と、
前記第１のテンプル部が接続可能な第１の接続部と、
前記第２のテンプル部が接続可能な第２の接続部とを有し、
前記第１のテンプル部及び前記第２のテンプル部の少なくとも一方のテンプル部は、テンプル側電装部を有し、
前記第１のテンプル部、前記第２のテンプル部は、前記フロント部の前記第１の接続部、前記第２の接続部に着脱自在なテンプル部であり、
前記フロント部の前記撮像装置により撮影された画像の情報が、前記フロント部から、前記少なくとも一方のテンプル部の前記テンプル側電装部に伝送され、
前記フロント部の前記第１の接続部は、前記第１のテンプル部に代えて前記第２のテンプル部が接続可能な接続部であり、
前記フロント部の前記第２の接続部は、前記第２のテンプル部に代えて前記第１のテンプル部が接続可能な接続部であることを特徴とする眼鏡型ウェアラブル装置。
【請求項２】
請求項１において、
前記第１のテンプル部は、第１のテンプル側電装部を有し、
前記第２のテンプル部は、第２のテンプル側電装部を有し、
前記撮像装置からの前記画像の情報が、前記フロント部から、前記第１、第２のテンプル側電装部の少なくとも一方に伝送されることを特徴とする眼鏡型ウェアラブル装置。
【請求項３】
請求項２において、
前記フロント部の前記電装部と、前記第１、第２のテンプル側電装部の少なくとも一方は、前記フロント部の前記第１、第２の接続部に前記第１、第２のテンプル部が接続された場合に、電気的に接続されることを特徴とする眼鏡型ウェアラブル装置。
【請求項４】
請求項２又は３において、
前記撮像装置からの前記画像の情報が、前記フロント部から前記第２のテンプル側電装部に伝送され、前記第２のテンプル側電装部において、前記画像の情報に対して処理が行われ、前記処理により得られた情報が、前記第２のテンプル側電装部から前記第１のテンプル側電装部に伝送されることを特徴とする眼鏡型ウェアラブル装置。
【請求項５】
請求項４において、
前記第１のテンプル側電装部は、表示装置を有し、
前記撮像装置からの前記画像の情報が、前記フロント部から前記第２のテンプル側電装部に伝送され、前記第２のテンプル側電装部において、前記画像の情報に対して画像処理が行われ、前記画像処理が施された画像の情報が、前記第２のテンプル側電装部から前記第１のテンプル側電装部に伝送されて、前記第１のテンプル側電装部の前記表示装置において表示されることを特徴とする眼鏡型ウェアラブル装置。
【請求項６】
請求項２又は３において、
前記撮像装置からの前記画像の情報が、前記フロント部から、前記第１のテンプル側電装部に伝送されると共に前記第２のテンプル側電装部に伝送されることを特徴とする眼鏡型ウェアラブル装置。
【請求項７】
請求項６において、
前記第１のテンプル側電装部は、表示装置を有し、
前記撮像装置からの前記画像の情報は、前記フロント部から前記第１のテンプル側電装部に伝送されて、前記第１のテンプル側電装部の前記表示装置において表示され、
前記撮像装置からの前記画像の情報は、前記フロント部から前記第２のテンプル側電装部に伝送され、前記第２のテンプル側電装部において、前記画像の情報に対して、画像処理、記憶処理及び装置外部への通信処理の少なくとも１つの処理が行われることを特徴とする眼鏡型ウェアラブル装置。
【請求項８】
請求項１において、
前記少なくとも一方のテンプル側電装部は、表示装置を有し、
前記撮像装置からの前記画像の情報は、前記フロント部から前記少なくとも一方のテンプル側電装部に伝送されて、前記少なくとも一方のテンプル側電装部の前記表示装置において表示されることを特徴とする眼鏡型ウェアラブル装置。
【請求項９】
請求項５又は７又は８において、
前記表示装置は、
表示部と、
前記表示部の画像を使用者に虚像として観察可能にする接眼光学系と、
前記接眼光学系の接眼窓を前記フロント部の前方に支持する支持部と、
を有することを特徴とする眼鏡型ウェアラブル装置。
【請求項１０】
請求項１乃至９のいずれかにおいて、
前記少なくとも一方のテンプル側電装部は、バッテリを有し、
前記バッテリからの電源が、前記少なくとも一方のテンプル側電装部から前記フロント部の前記撮像装置に供給されることを特徴とする眼鏡型ウェアラブル装置。
【請求項１１】
請求項１０において、
前記バッテリは、前記少なくとも一方のテンプル部のモダン部に設けられることを特徴とする眼鏡型ウェアラブル装置。
【請求項１２】
請求項１１において、
前記少なくとも一方のテンプル部は、
前記バッテリが設けられる前記モダン部と、
前記モダン部を着脱可能に接続する接続部と、
を有することを特徴とする眼鏡型ウェアラブル装置。
【請求項１３】
請求項１乃至１２のいずれかにおいて、
前記第１のテンプル部は、
前記第１の接続部への接続時には、第１の側面が第１の方向を向き、前記第１の側面の反対側の面である第２の側面が前記第１の方向と反対方向の第２の方向を向いた状態で、前記第１の接続部に接続され、
前記第２の接続部への接続時には、前記第１の側面が前記第２の方向を向き、前記第２の側面が前記第１の方向を向いた状態で、前記第２の接続部に接続され、
前記第２のテンプル部は、
前記第２の接続部への接続時には、第１の側面が前記第２の方向を向き、前記第１の側面の反対側の面である第２の側面が前記第１の方向を向いた状態で、前記第２の接続部に接続され、
前記第１の接続部への接続時には、前記第１の側面が前記第１の方向を向き、前記第２の側面が前記第２の方向を向いた状態で、前記第１の接続部に接続されることを特徴とする眼鏡型ウェアラブル装置。
【請求項１４】
請求項１乃至１３のいずれかにおいて、
前記第１の接続部は、第１の端子と、第２の端子を有し、
前記第２の接続部は、第３の端子と、第４の端子を有し、
前記第１のテンプル部は、
前記第１の接続部への接続時には前記第１の接続部の前記第１の端子に接続され、前記第２の接続部への接続時には前記第２の接続部の前記第４の端子に接続される第１のテンプル側端子と、
前記第１の接続部への接続時には前記第１の接続部の前記第２の端子に接続され、前記第２の接続部への接続時には前記第２の接続部の前記第３の端子に接続される第２のテンプル側端子と、
を有し、
前記第２のテンプル部は、
前記第２の接続部への接続時には前記第２の接続部の前記第３の端子に接続され、前記第１の接続部への接続時には前記第１の接続部の前記第２の端子に接続される第３のテンプル側端子と、
前記第２の接続部への接続時には前記第２の接続部の前記第４の端子に接続され、前記第１の接続部への接続時には前記第１の接続部の前記第１の端子に接続される第４のテンプル側端子と、
を有することを特徴とする眼鏡型ウェアラブル装置。
【請求項１５】
請求項１乃至１４のいずれかにおいて、
前記フロント部は、
前記第１の接続部及び前記第２の接続部に、同一種別のテンプル部が接続された場合に、前記同一種別のテンプル部が有する電装部同士間の電気的接続を非接続にすることを特徴とする眼鏡型ウェアラブル装置。
【請求項１６】
眼鏡型ウェアラブル装置の装着時に使用者の顔の前方に配置されるフロント部であって、
前記眼鏡型ウェアラブル装置の装着時に前記使用者の一方の側頭部に沿って配置される第１のテンプル部を接続するための第１の接続部と、
前記眼鏡型ウェアラブル装置の装着時に前記使用者の他方の側頭部に沿って配置される第２のテンプル部を接続するための第２の接続部と、
撮像装置を有する電装部と、
を有し、
前記第１、第２の接続部の少なくとも一方の接続部から、前記撮像装置により撮影された画像の情報が出力され、
前記フロント部の前記第１の接続部は、前記第１のテンプル部に代えて前記第２のテンプル部が接続可能な接続部であり、
前記フロント部の前記第２の接続部は、前記第２のテンプル部に代えて前記第１のテンプル部が接続可能な接続部であることを特徴とする眼鏡型ウェアラブル装置のフロント部。
【請求項１７】
請求項１６において、
前記フロント部の前記第１、第２の接続部への前記第１、第２のテンプル部の接続時に、前記第１のテンプル部の第１のテンプル側電装部と前記第２のテンプル部の第２のテンプル側電装部とを電気的に接続する接続線を有することを特徴とする眼鏡型ウェアラブル装置のフロント部。